【事件の表示】
　特許第３２９８１０５号「信号処理装置」の請求項１ないし３、６、７に係る特許に対する特許異議の申立てについて、次のとおり決定する。
【結　論】
　訂正を認める。
　特許第３２９８１０５号の請求項１ないし３、６、７に係る特許を維持する。
【理　由】
第１　手続の経緯
　本件特許３２９８１０５号の請求項１ないし７に係る発明は、平成２年１１月２日に特許出願され、平成１４年４月１９日にその特許の設定登録がなされ、その後、上記特許の請求項１ないし３、６、７に係る発明に対して、溝呂木寛より特許異議の申立がなされ、取消理由が通知され、その指定期間内である平成１５年５月２７日に訂正請求がなされたものである。
　
第２　訂正の適否についての判断
１　訂正の内容
　特許権者が求めている訂正の内容は、以下のとおりの訂正事項である。
（１）　訂正事項ａ
　特許請求の範囲の請求項１ないし７の記載を、
「【請求項１】　クランプ・パルスの供給に応じて入力信号を
クランプ・レベルとしてのペデスタル・レベルに
　垂直帰線消去期間でない水平帰線消去期間において供給するクランプ・パルス幅より広い幅のクランプ・パルスを第１の垂直帰線消去期間の終端近傍において前記クランプ手段に供給することによって前記第１の垂直帰線消去期間終端で入力信号を前記所定のクランプ・レベルに保持するよう制御するクランプ・パルス供給手段
とを備え、
前記入力信号は前記水平消去期間及び前記第１の垂直帰線消去期間の終端近傍においてそれぞれ前記ペデスタル・レベルが供給される第１の期間と該第１の期間と異なる第２の期間とを有し、
前記クランプ・パルス供給手段は前記第１の垂直帰線消去期間の終端近傍で前記第２の期間でないペデスタル・レベルが供給される前記第１の期間を捕えるようにクランプ・パルスを供給すること
【請求項２】　前記クランプ・パルス供給手段は、垂直ブランキング期間においても前記クランプ手段にクランプ・パルスを供給するとともに、前記垂直ブランキング期間に供給するクランプ・パルス幅は垂直帰線消去期間でない期間に供給するクランプ・パルス幅より広いことを特徴とする請求項１に記載の信号処理装置。
【請求項３】　前記クランプ手段は、帰還型のクランプ回路である請求項２に記載の信号処理装置。
【請求項４】　前記クランプ手段は、信号線と電源間、及び信号線とアース間のそれぞれにコンデンサを接続してなるローパス・フィルタをクランプ・レベル信号用に具備することを特徴とする請求項２に記載の信号処理装置。
【請求項５】　信号線と電源間に接続するコンデンサと、信号線とアース間に接続したコンデンサと容量比及び両コンデンサの直列回路に印加する電圧を、電源投入の際のフィルタ・レベルに一致若しくは近似するレベルになる値に設定した請求項４に記載の信号処理装置。
【請求項６】　前記クランプ手段は、
輝度信号のペデスタル・レベルをクランプ
【請求項７】　前記クランプ手段は、ディジタル・フィードバック式である請求項２に記載の信号処理装置。」と訂正する。
（２）　訂正事項ｂ
　明細書の５頁１８行ないし６頁１１行（特許公報２頁右欄１９行〜２７行の［課題を解決するための手段］の項の記載を、
「本願発明に係る信号処理装置は、クランプ・パルスの供給に応じて入力信号を
クランプ・レベルとしてのペデスタル・レベルに
とを備え、前記入力信号は前記水平消去期間及び前記第１の垂直帰線消去期間の終端近傍においてそれぞれ前記ペデスタル・レベルが供給される第１の期間と該第１の期間と異なる第２の期間とを有し、前記クランプ・パルス供給手段は前記第１の垂直帰線消去期間の終端近傍で前記第２の期間でないペデスタル・レベルが供給される前記第１の期間を捕えるようにクランプ・パルスを供給すること
　
２　訂正の目的の適否、新規事項の有無及び拡張・変更の存否
（１）　訂正事項ａについて
　訂正後の請求項１は、
　特許明細書の記載（特許公報２頁左欄３４行〜３９行、３頁左欄２行〜１１行）及び図面の第１図及び第３図に基づいて、特許明細書の請求項１の「所定のクランプ・レベルに」を「
クランプ・レベルとしてのペデスタル・レベルに
前記入力信号は前記水平消去期間及び前記第１の垂直帰線消去期間の終端近傍においてそれぞれ前記ペデスタル・レベルが供給される第１の期間と該第１の期間と異なる第２の期間とを有し
前記クランプ・パルス供給手段は前記第１の垂直帰線消去期間の終端近傍で前記第２の期間でないペデスタル・レベルが供給される前記第１の期間を捕えるようにクランプ・パルスを供給すること
　訂正後の請求項６は、
　特許明細書の記載（特許公報２頁左欄３４行〜３９行）に基づいて、特許明細書の請求項６の「信号をペデスタル・レベルでクランプ」を「
輝度信号のペデスタル・レベルをクランプ
（２）　訂正事項ｂについて
　特許請求の範囲の訂正にともない、課題を解決するための手段の項の、対応する箇所を訂正するものであり、明りょうでない記載の釈明に該当する。
（３）　よって、上記訂正事項ａｂは、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。また、異議の申立てのされていない請求項の訂正後の請求項に係る発明は特許出願の際独立して特許を受けることができるものである。
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項に適合するので、当該訂正を認める。
　
第３　特許異議の申立についての判断
１　申立の理由の概要
　申立人溝呂木寛は、証拠として、下記の甲第１〜２号証を提出し、特許請求の範囲の請求項１及び２に係る発明は、甲第１号証に記載された発明であり、特許法第２９条第１項第３号に規定する発明に該当し、請求項１ないし３、６、７に係る発明は、刊行物１及び２に記載された発明に基づいて当業者が容易に発明をすることができたものであり、特許法第２９条第２項の規定により特許を受けることができないものであるから、特許を取り消すべきものと主張している。
　甲第１号証（特開昭５９−１２５１７７号公報、以下「刊行物１」という。）
　甲第２号証（特開昭６０−１２６９８０号公報、以下「刊行物２」という。）
　
２　本件発明
　異議の対象である特許明細書の請求項１ないし３、６、７に係る発明は、上記訂正請求により訂正されたので、訂正明細書の特許請求の範囲の請求項１ないし３、６、７に係る発明（以下、それぞれ「本件発明１ないし３、６、７」という。）は、その請求項１ないし３、６、７に記載されたとおりのものである。
「【請求項１】〜【請求項７】上記（訂正事項ａ）のとおり。」
　なお、請求項１の「前記水平消去期間」は「前記水平帰線消去期間」の意味であると解する。
　
３　刊行物記載の発明
（１）　本件発明に対して、当審が通知した取消理由で引用した刊行物１には、「ビデオカメラ等の撮像装置にて得られる撮像出力の黒レベルを所定電位とするために用いられる撮像出力のクランプ回路」（公報１頁左下欄１６〜１８行参照）に関して、
（ア）「水平ブランキング期間に相当する無効撮像領域内に水平　方向の光学的黒レベル検出部を設けた撮像部にて得られる撮像出力の光学的黒レベルを水平走査期間毎にクランプするクランプ回路において、垂直ブランキング期間直後の少なくとも１個のクランプパルスのパルス幅を水平ブランキング期間の範囲内で他のクランプパルスのパルス幅よりも広げたことを特徴とする撮像出力のクランプ回路。」（公報１頁左下欄、特許請求の範囲）、
（イ）「第５図に示すように、無効撮像領域３の水平方向と垂直方向の各一側に光学的黒レベル検出部４，５を設けた撮像部１’にて得られる撮像出力について、本発明に係るクランプ回路によりクランプをかけるようにしても良い。すなわち、この場合には、上記撮像部１’にて得られる第６図Ａに示すような撮像出力の垂直方向の光学的黒レベル検出部５に相当する信号期間ＴＶＤ中のクランプパルスについて、上記信号期間ＴＶＤの範囲内でパルス幅Ｗ３を拡げることができ、例えば第６図Ｂに示すようなクランプパルスを上述の実施例におけるクランプパルス発生器１８にて発生すれば良い。」（公報３頁右上欄８行〜２０行）と記載されている。
（２）　同じく引用した刊行物２には、「フィールド信号・フレーム信号変換におけるフィードバック・クランプ回路」に関して、「フィードバッククランプループはペデスタルレベル（第２図の符号１３）が一定になるように動作するものであり」（公報３頁左下欄１０行〜右下欄３行参照）、「垂直帰線消去期間を含めて全ての期間のペデスタルレベルをクランプすることができる」こと（公報５頁右上欄７〜１０行参照）が記載されている。
　
４　対比・判断
（１）　本件発明１
　本件発明１と刊行物１に記載された発明とを対比すると、本件発明１では、「入力信号」が「水平帰線消去期間及び第１の垂直帰線消去期間の終端近傍においてそれぞれペデスタル・レベルが供給される第１の期間と該第１の期間と異なる第２の期間とを有し」、「クランプ・パルス供給手段」が「前記第１の垂直帰線消去期間の終端近傍で前記第２の期間でないペデスタル・レベルが供給される前記第１の期間を捕えるようにクランプ・パルスを供給する」構成を（以下「構成Ａ」という。）必須の構成とするのに対して、刊行物１に記載された発明では、入力信号が、撮像部からの撮像出力であり、クランプパルス供給手段が供給するパルスについては、黒レベル検出部に相当する信号期間であることが、記載されているのみである。
　また、刊行物２には、入力信号であるフィールド信号が、ペデスタルレベルが供給される期間と、これと異なる期間とを有する信号であることが記載され、ペデスタルレベルが一定になるようにクランプ動作させることが記載され、水平帰線消去期間及び垂直帰線消去期間の終端近傍で、ペデスタル・レベルが供給される期間を捕らえるようにクランプ・パルスを供給することが記載されているものの、この場合のクランプパルスは、一定幅のパルスを供給することを前提としている。よって、刊行物２には、上記構成Ａが記載されておらず、示唆もない。
　ところで、刊行物１に記載された発明は、ビデオカメラ等の撮像装置にて得られる撮像出力の黒レベルを所定電位とするために用いられる撮像出力のクランプ回路であって、無効撮像領域の垂直方向の各一側に光学的黒レベル検出部を設けた場合に、光学的黒レベル検出部に相当する信号期間ＴＶＤ中の範囲内でパルス幅Ｗ３を拡げるものである。このように、刊行物１と２とは、入力信号の種類が異なるものであり、パルス幅を広げる前提が異なるものであるから、刊行物１に記載された発明と刊行物２に記載された発明を組み合わせて上記構成Ａを得ることは、当業者にとって容易ではない。
　上記構成Ａについては、いずれの刊行物にも記載されておらず、刊行物１〜２に記載されたものを単に組み合わせても具体的な構成Ａを得ることはできない。そして、上記構成Ａにより、「より早くクランプ・レベルが安定し」、ペデスタル・レベルに素早く安定させることができるという明細書記載の顕著な効果を奏している。
　よって、本件発明１は刊行物１に記載された発明ではなく、また刊行物１〜２に記載された発明に基づいて容易に発明をすることができたものでもない。
　
（２）　本件発明２、３、６、７
　本件発明２、３、６、７は、請求項１である本件発明１を引用するものであるので、上記（１）と同様の理由により、刊行物１〜２に記載された発明に基づいて容易に発明をすることができたものではない。
５　むすび
　以上のとおりであるから、特許異議申立の理由及び証拠によっては、本件発明１ないし３、６、７に係る発明の特許を取り消すことはできない。
　また、他に本件発明１ないし３、６、７に係る発明の特許を取り消すべき理由を発見しない。
　よって、結論のとおり決定する。
【異議決定日】
平成１５年６月１８日（２００３．６．１８）
【訂正の要旨】
ａ）訂正事項ａ
　平成１３年１２月２６日提出の手続補正書により補正された特許請求の範囲に
「（１）　クランプ・パルスの供給に応じて入力信号を所定のクランプ・レベルに保持するクランプ手段と、
　垂直帰線消去期間でない水平帰線消去期間において供給するクランプ・パルス幅より広い幅のクランプ・パルスを第１の垂直帰線消去期間の終端近傍において前記クランプ手段に供給することによって前記第１の垂直帰線消去期間終端で入力信号を前記所定のクランプ・レベルに保持するよう制御するクランプ・パルス供給手段
とを有することを特徴とする信号処理装置。
（２）　前記クランプ・パルス供給手段は、垂直ブランキング期間においても前記クランプ手段にクランプ・パルスを供給するとともに、前記垂直ブランキング期間に供給するクランプ・パルス幅は垂直帰線消去期間でない期間に供給するクランプ・パルス幅より広いことを特徴とする請求項１に記載の信号処理装置。
（３）　前記クランプ手段は、帰還型のクランプ回路である請求項２に記載の信号処理装置。
（４）　前記クランプ手段は、信号線と電源間、及び信号線とアース間のそれぞれにコンデンサを接続してなるローパス・フィルタをクランプ・レベル信号用に具備することを特徴とする請求項２に記載の信号処理装置。
（５）　信号線と電源間に接続するコンデンサと、信号線とアース間に接続したコンデンサと容量比及び両コンデンサの直列回路に印加する電圧を、電源投入の際のフィルタ・レベルに一致若しくは近似するレベルになる値に設定した請求項４に記載の信号処理装置。
（６）　前記クランプ手段は、信号をペデスタル・レベルでクランプする請求項２に記載の信号処理装置。
（７）　前記クランプ手段は、ディジタル・フィードバック式である請求項２に記載の信号処理装置。」
とあるのを、
「【請求項１】　クランプ・パルスの供給に応じて入力信号を
クランプ・レベルとしてのペデスタル・レベルに
　垂直帰線消去期間でない水平帰線消去期間において供給するクランプ・パルス幅より広い幅のクランプ・パルスを第１の垂直帰線消去期間の終端近傍において前記クランプ手段に供給することによって前記第１の垂直帰線消去期間終端で入力信号を前記所定のクランプ・レベルに保持するよう制御するクランプ・パルス供給手段
とを備え、
　
前記入力信号は前記水平消去期間及び前記第１の垂直帰線消去期間の終端近傍においてそれぞれ前記ペデスタル・レベルが供給される第１の期間と該第１の期間と異なる第２の期間とを有し、
　
前記クランプ・パルス供給手段は前記第１の垂直帰線消去期間の終端近傍で前記第２の期間でないペデスタル・レベルが供給される前記第１の期間を捕えるようにクランプ・パルスを供給すること
を特徴とする信号処理装置。
　【請求項２】　前記クランプ・パルス供給手段は、垂直ブランキング期間においても前記クランプ手段にクランプ・パルスを供給するとともに、前記垂直ブランキング期間に供給するクランプ・パルス幅は垂直帰線消去期間でない期間に供給するクランプ・パルス幅より広いことを特徴とする請求項１に記載の信号処理装置。
　【請求項３】　前記クランプ手段は、帰還型のクランプ回路である請求項２に記載の信号処理装置。
　【請求項４】　前記クランプ手段は、信号線と電源間、及び信号線とアース間のそれぞれにコンデンサを接続してなるローパス・フィルタをクランプ・レベル信号用に具備することを特徴とする請求項２に記載の信号処理装置。
　【請求項５】　信号線と電源間に接続するコンデンサと、信号線とアース間に接続したコンデンサと容量比及び両コンデンサの直列回路に印加する電圧を、電源投入の際のフィルタ・レベルに一致若しくは近似するレベルになる値に設定した請求項４に記載の信号処理装置。
　【請求項６】　前記クランプ手段は、
輝度信号のペデスタル・レベルをクランプ
　【請求項７】　前記クランプ手段は、ディジタル・フィードバック式である請求項２に記載の信号処理装置。」
と訂正する。
ｂ）訂正事項ｂ
　明細書の第５頁第１８行乃至第６頁第１１行に、
「本発明に係る信号処理装置は、クランプ・パルスの供給に応じて入力信号を所定のクランプ・レベルに保持するクランプ手段と、垂直帰線消去期間でない水平帰線消去期間において供給するクランプ・パルス幅より広い幅のクランプ・パルスを第１の垂直帰線消去期間の終端近傍において前記クランプ手段に供給することによって前記第１の垂直帰線消去期間終端で入力信号を前記所定のクランプ・レベルに保持するよう制御するクランプ・パルス供給手段とを有することを特徴とする。」
とあるのを、
「本発明に係る信号処理装置は、クランプ・パルスの供給に応じて入力信号を
クランプ・レベルとしてのペデスタル・レベルに
とを備え、前記入力信号は前記水平消去期間及び前記第１の垂直帰線消去期間の終端近傍においてそれぞれ前記ペデスタル・レベルが供給される第１の期間と該第１の期間と異なる第２の期間とを有し、前記クランプ・パルス供給手段は前記第１の垂直帰線消去期間の終端近傍で前記第２の期間でないペデスタル・レベルが供給される前記第１の期間を捕えるようにクランプ・パルスを供給すること
と訂正する。
（５４）【発明の名称】
信号処理装置
（５７）【特許請求の範囲】
　【請求項１】　クランプ・パルスの供給に応じて入力信号を
クランプ・レベルとしてのペデスタル・レベルに
　垂直帰線消去期間でない水平帰線消去期間において供給するクランプ・パルス幅より広い幅のクランプ・パルスを第１の垂直帰線消去期間の終端近傍において前記クランプ手段に供給することによって前記第１の垂直帰線消去期間終端で入力信号を前記所定のクランプ・レベルに保持するよう制御するクランプ・パルス供給手段
とを備え、
　
前記入力信号は前記水平消去期間及び前記第１の垂直帰線消去期間の終端近傍においてそれぞれ前記ペデスタル・レベルが供給される第１の期間と該第１の期間と異なる第２の期間とを有し、
　
前記クランプ・パルス供給手段は前記第１の垂直帰線消去期間の終端近傍で前記第２の期間でないペデスタル・レベルが供給される前記第１の期間を捕えるようにクランプ・パルスを供給すること
を特徴とする信号処理装置。
　【請求項２】　前記クランプ・パルス供給手段は、垂直ブランキング期間においても前記クランプ手段にクランプ・パルスを供給するとともに、前記垂直ブランキング期間に供給するクランプ・パルス幅は垂直帰線消去期間でない期間に供給するクランプ・パルス幅より広いことを特徴とする請求項１に記載の信号処理装置。
　【請求項３】　前記クランプ手段は、帰還型のクランプ回路である請求項２に記載の信号処理装置。
　【請求項４】　前記クランプ手段は、信号線と電源間、及び信号線とアース間のそれぞれにコンデンサを接続してなるローパス・フィルタをクランプ・レベル信号用に具備することを特徴とする請求項２に記載の信号処理装置。
　【請求項５】　信号線と電源間に接続するコンデンサと、信号線とアース間に接続したコンデンサと容量比及び両コンデンサの直列回路に印加する電圧を、電源投入の際のフィルタ・レベルに一致若しくは近似するレベルになる値に設定した請求項４に記載の信号処理装置。
　【請求項６】　前記クランプ手段は、
輝度信号のペデスタル・レベルをクランプ
　【請求項７】　前記クランプ手段は、ディジタル・フィードバック式である請求項２に記載の信号処理装置。
【発明の詳細な説明】
［産業上の利用分野］
　本発明は、信号をクランプする信号処理装置に関する。
［従来の技術］
　一般に、アナログ信号をディジタル信号処理する場合、安定して正確なディジタル信号入力を得るために、Ａ／Ｄ変換の前段でアナログ信号入力をクランプする必要がある。クランプ方式には種々の方式があるが、温度ドリフトや電源電圧変動の影響を受けにくく、安定したディジタル信号入力を得られるクランプ方式として、ディジタル・フィードバック・クランプが知られている。
　アナログ映像信号のディジタル信号処理回路におけるディジタル・フィードバック・クランプ回路の基本構成を第２図に示す。１０はアナログ映像信号の入力端子、１２はＡ／Ｄ変換器、１４はＡ／Ｄ変換器１２のサンプリング・クロックと同じタイミングのクロックでＡ／Ｄ変換器１２の出力データをラッチするラッチ回路、１６はラッチ回路１４の出力データを一定の基準値、例えば０１ｈ（１０進数）と比較する比較回路、１８は、後述するクランプ・パルス２６の期間、通過状態になるクランプ・ゲート回路、２０はクランプ・ゲート回路１８の出力に含まれるディジタル・ノイズを除去するためのローパス・フィルタ（ＬＰＦ）、２２はバッファ、２４はクランプ・パルス２６により閉成されるクランプ・スイッチである。
　２８はラッチ回路１４の出力データを記憶するメモリ、３０はメモリ２８から読み出された画像データをアナログ信号に変換するＤ／Ａ変換器、３２はメモリ２８上で不図示のディジタル演算処理回路によりディジタル処理された映像信号の出力端子である。メモリ２８上での処理は本発明とは無関係であるので、説明を省略する。
　第３図は輝度信号に対するクランプ・パルス２６のタイミングを示す。クランプ・パルス２６は、輝度信号のペデスタル・レベルのタイミング、即ち水平同期信号のバックポーチの期間を捕えるタイミング及び幅でクランプ・スイッチ２４に印加される。また、第４図はＬＰＦ２０の回路構成を示す。ＬＰＦ２０は、周知のＲＣ回路である。
　第２図の動作を簡単に説明する。入力端子１０に入力したアナログ映像信号はＡ／Ｄ変換器１２によりディジタル化された後、ラッチ回路１４を介して比較回路１６に印加される。比較回路１６はラッチ回路１４の出力値を基準値０１ｈと比較し、ラッチ回路１４の出力が００ｈとき比較回路１６の出力は”Ｈ”となってクランプ・レベルを上げ、ラッチ回路１４の出力が０１ｈのとき、出力インピーダンスがハイになってその時点のクランプ・レベルを保持し、ラッチ回路１４の出力が０２ｈ以上のとき比較回路１６の出力は”Ｌ”になってクランプ・レベルを下げる。クランプ・ゲート回路１８はクランプ・パルス２６のタイミングで、比較回路１６の出力をＬＰＦ２０に印加する。ＬＰＦ２０はディジタル・ノイズを除去して安定した直流レベルの信号を出力する。ＬＰＦ２０の出力はバッファ２２を介してスイッチ２４に供給され、クランプ・パルス２６によるスイッチ２４の閉成時に、入力端子１０のアナログ映像信号をクランプする。このようにして、入力端子１０に入力するアナログ映像信号のペデスタル・レベルが所定の一定レベルに保たれ、安定したクランプが行なわれる。
［発明が解決しようとする課題］
　しかし、上記従来例では、信号のＳ／Ｎ比を確保するために、ＬＰＦ２０（第４図）のコンデンサ容量をある程度大きくする必要があり、その結果、ＬＰＦ２０の時定数が大きくなり、信号入力時や電源投入時に、クランプ信号の安定するまでの期間が長くなり、レスポンスが悪いという欠点がある。
　本発明は、このような課題を解決する信号処理装置を提示することを目的とする。
［課題を解決するための手段］
　本発明に係る信号処理装置は、クランプ・パルスの供給に応じて入力信号を
クランプ・レベルとしてのペデスタル・レベルに
とを備え、前記入力信号は前記水平消去期間及び前記第１の垂直帰線消去期間の終端近傍においてそれぞれ前記ペデスタル・レベルが供給される第１の期間と該第１の期間と異なる第２の期間とを有し、前記クランプ・パルス供給手段は前記第１の垂直帰線消去期間の終端近傍で前記第２の期間でないペデスタル・レベルが供給される前記第１の期間を捕えるようにクランプ・パルスを供給すること
［作用］
　上記手段により、従来に比べ、より早くクランプ・レベルが安定し、従って電源投入時や信号入力時にも、より早く本来の映像信号処理をスタートできる。
［実施例］
　以下、図面を参照して本発明の実施例を説明する。
　本発明の第１実施例の基本構成は、概念的には第２図と同じであるが、クランプ・パルスのタイミングが異なる。第１図は本実施例におけるクランプ・パルスのタイミング図を示す。第１図（ａ）はクランプしようとする映像信号、同（ｂ）は従来例で用いられる通常のペデスタル・クランプ・パルス、同（ｃ）は本実施例におけるクランプ・パルスである。
　第１図（ｂ）から分かるように、従来例では、クランプ・パルスは、水平同期信号のバックポーチを捉えるタイミングで、約０．０４４Ｈ（１Ｈは１水平走査期間）と極く短いパルスになっており、また、垂直ブランキング期間では発生されない。このように、クランプ・パルスのパルス幅が短いことにより、安定したクランプを得るのにかなり長い時間がかかるだけでなく、垂直ブランキング期間にクランプ・パルスが存在しないことにより、それに続く映像信号の映像部にかかる前にクランプが安定せず、従って、１画面分の期間、メモリ２８への取り込みを待たなければならない。
　これに対して本実施例では、垂直帰線消去期間では、水平同期信号及び等化パルス以外はペデスタル・レベルであることに着目し、第１図（ｃ）に示すように、垂直ブランキング期間の等化パルスの間にもクランプ・パルスを発生させ、しかもそのパルス幅を拡げた。このようにすることにより、クランプ・レベルの安定が早まり、例えば１つのクランプ・パルスの期間内でも、従来例に比べて早くクランプ・レベルが安定する。従って、電源投入時や信号入力時にクランプ・レベルが安定するまでのレスポンス時間Ｔが短くなる。
　ディジタル回路の電源をＶｃｃ、最終的に安定するクランプ電圧をＶｃ、垂直走査期間をＴｖ、垂直走査期間中のクランプ時間をＴｃとすると、レスポンス時間Ｔは下記式で与えられる。
　　Ｔ＝−ｌｎ（１−Ｖｃ／Ｖｃｃ）×Ｃ×Ｒ×Ｔｖ／Ｔｃ　　　　　　（１）
ここで、Ｃ×ＲはＬＰＦ２０の時定数である。
　レスポンス時間Ｔを短くするためには、式（１）から分かるように、クランプ幅を拡げると同時に、ＬＰＦ２０の時定数を小さくするのが有効である。そこで、本発明はまた、第４図に示すＬＰＦの代わりに第５図に示すＬＰＦを使用することを提案する。第５図に示すＬＰＦでは、半分の容量のコンデンサを電源側とアース側の両方に接続しており、これにより、フィルタ特性は第４図と同じであるが、時定数は半分になる。
　第５図に図示したＬＰＦでは更に、フィルタ出力は電源投入直後に電源電圧の１／２（電源電圧Ｖｃｃが例えば５［Ｖ］の場合、２．５［Ｖ］）になる。この直流レベルを最終的に安定するクランプ・レベルに一致させ、Ａ／Ｄ変換器への入力前でクランプ・レベルにオフセット・レベルを与えておくことにより、信号入力時及び電源投入時のレスポンスを早めることができる。その回路例を第６図に示す。
　第６図において、４０はクランプ・パルスの入力端子、４２はクランプ・レベル信号（例えばゲート回路１８の出力）の入力端子、４４はアナログ映像信号の入力端子、４６は第５図と同じ回路構成のＬＰＦ、４８はクランプ・スイッチ２４に対応するクランプ・スイッチ、５０はバッファ・トランジスタ、５２はＡ／Ｄ変換器に接続する出力端子である。
　例えば、使用するＡ／Ｄ変換器の入力直流レベルの動作範囲が０．６〜２．５［Ｖ］であるとし、ペデスタル・レベルを当該Ａ／Ｄ変換器の最低動作レベルに設定すると、第６図のＣ点のペデスタル電位が０．６［Ｖ］であればよく、従って、Ｂ点では約１．２［Ｖ］、Ａ点では約２．４［Ｖ］になる。電源投入後すぐにＡ点の電位は２．５［Ｖ］になるから、出力端子５２での信号レベルが安定する迄の時間はかなり早くなる。
　このように、予めオフセットを与えた場合のレスポンス時間Ｔは、次式で与えられる。
　　Ｔ＝−ｌｎ｛１−Ｖｃ／（Ｖｃｃ−Ｖｏ）｝×Ｃ／２×Ｒ×Ｔｖ／Ｔｃ
　　　　　　　　　　　　　　　　　　　　　　　　‥‥Ｖｏ＜Ｖｃ　　（２）
　　Ｔ＝−ｌｎ（Ｖｃ／Ｖｏ）×Ｃ／２×Ｒ×Ｔｖ／Ｔｃ
　　　　　　　　　　　　　　　　　　　　　　　　‥‥Ｖｏ＞Ｖｃ　　（３）
但し、Ｖｃは最終的に安定するクランプ・レベル、Ｖｃｃは電源電圧（例えば、５［Ｖ］）、Ｖｏはオフセット電圧（この例では２．５［Ｖ］）、垂直走査期間をＴｖ、垂直走査期間中のクランプ時間をＴｃとした。
　Ｖｏ＜Ｖｃの場合、第２図の比較回路１６の出力に相当する信号は”Ｈ”になり、第６図の入力端子４２からＬＰＦ４６には、クランプ・パルス期間、５［Ｖ］のクランプ・レベル信号が供給され、ＬＰＦ４６のコンデンサは充電される。逆に、Ｖｏ＞Ｖｃの場合、第２図の比較回路１６の出力に相当する信号は”Ｌ”になり、第６図の入力端子４２からＬＰＦ４６には、クランプ・パルス期間、０［Ｖ］のクランプ・レベル信号が供給され、ＬＰＦ４６のコンデンサは放電し、Ｖｃに安定する。そして、Ｖｏ＝Ｖｃの場合、つまり、オフセット電圧と最終的に安定するクランプ電圧とが等しい場合、レスポンス時間Ｔは０［秒］になり、等しくなくても、ＶｏとＶｃの差が小さくなるにつれ対数的にレスポンス時間Ｔが短くなる。
　第１図、第５図及び第６図により説明した構成を用いることにより、例えば垂直帰線消去期間の初め部分からアナログ映像信号をディジタル化してメモリに書き込む場合に、垂直帰線消去期間内でクランプ・レベルが安定し、垂直帰線消去期間に続く映像部分をメモリに書き込むことができ、それだけ、以後の映像処理を迅速に行なえるようになる。
　次に、スチル・ビデオ・カメラにおける色差線順次信号の処理回路に適用した場合を説明する。スチル・ビデオ・カメラでは、色差信号については、１Ｈ（水平走査期間）毎に色差成分Ｒ−Ｙと同Ｂ−Ｙを交互に切り換えて得られる色差線順次信号をＦＭ変調して磁気ディスクに記録する。色差線順次信号では、色差成分Ｒ−Ｙと同Ｂ−Ｙとの間に１００ＫＨｚに相当するオフセットが設けられる。このような色差線順次信号をディジタル映像信号処理する場合、先ず、上記オフセットを除去した信号をディジタル化し、メモリに書き込むことになり、ディジタル化に際して、上述したようなクランプを行なう。このクランプ回路にも本発明を適用できる。
　即ち、オフセットを除去した色差線順次信号に対しても、垂直帰線消去期間内において幅の広いクランプ・パルスを印加するようにする。これにより、クランプ・レベルの安定化が早まる。また、クランプ・レベル信号からノイズ（例えばディジタル・ノイズ等）を除去するＬＰＦに第５図に示すＬＦＰを採用すれば、フィルタ効果を変えずに時定数を半減でき、クランプ・レベルの安定化を更に早くできる。
　更には、第６図に示す回路構成を採用すると、色差線順次信号ではクランプされるのが中心レベルであることから、例えば動作直流範囲が０．６〜２．６［Ｖ］のＡ／Ｄ変換器を使用するとして、その中心である１．６［Ｖ］にクランプするとすると、第６図のＣ点の電位が１．６［Ｖ］、従ってＢ点の電位が約２．２［Ｖ］、Ａ点の電位が約２．８［Ｖ］となる。ＬＰＦ４６においてＣ＝２．２μＦ、Ｒ＝４７０Ωであるとすると、レスポンス時間Ｔ＝０．１２ｍｓとなり、２Ｈで安定することになる。従って、垂直帰線消去期間の始まりからディジタル化する場合には、２水平走査期間内にクランプ・レベルが安定し、その後のディジタル映像信号をメモリに書き込めるようになる。
［発明の効果］
　以上の説明から容易に理解できるように、本発明によれば、より早くクランプ・レベルが安定化し、従って電源投入時や信号入力時にも、より早く本来の映像信号処理をスタートできるようになる。
【図面の簡単な説明】
　第１図は本発明の一実施例におけるタイミング図、第２図はディジタル・フィードバック式クランプ回路の基本構成図、第３図は従来例におけるタイミング図、第４図は従来例におけるＬＰＦ２０の回路構成、第５図は本発明によるＬＰＦの回路例、第６図は本発明の別の実施例における部分回路の回路図である。
　１０：アナログ映像信号入力端子　１２：Ａ／Ｄ変換器　１４：ラッチ回路　１６：比較回路　１８：クランプ・ゲート回路　２０：ローパス・フィルタ　２２：バッファ　２４：クランプ・スイッチ　２６：クランプ・パルス　２８：メモリ　３０：Ｄ／Ａ変換器　３２：出力端子　４０，４２，４４：入力端子　４６：ＬＰＦ　４８：クランプ・スイッチ　５０：バッファ・トランジスタ　５２：出力端子